(57)【要約】  冷蔵庫は、断熱箱体と、圧縮機と、電装品と、電装品保護装置と、を備え、電装品保護装置は、ブラケットと、電装品を覆ってブラケットに固定される保護カバーと、を有し、ブラケットは、保護カバー側に突出し、係止孔を形成する係止部を有し、保護カバーは、ブラケットと対向する側壁部と、底壁を構成する下壁部と、天井壁を構成する上壁部と、断熱箱体の背面側から見た奥行方向において手前側の側壁を構成する前壁部と、奥側の側壁を構成する奥壁部と、下壁部の内壁面において係止孔に対向する位置に形成され、係止部と係合する係止爪と、下壁部の外壁面において係止爪の反対側に突出した引掛部であって、下壁部と対向する板状に形成された平板部を有し、平板部が、下壁部との間に、側壁部側から前壁部側にかけて連続して開口した空隙を形成する引掛部と、を有するものである。
2019021407.tif 000002
【特許請求の範囲】
【請求項１】
底壁部と、前記底壁部に設けられた対向する２つの外側壁部と、２つの前記外側壁部の間に配置され前記底壁部との間に開口を形成する後壁部と、を有する断熱箱体と、
前記断熱箱体の前記開口内において、前記底壁部に設置され、前記外側壁部の一方に寄せて配置された圧縮機と、
前記圧縮機を駆動し、前記圧縮機の前記一方の外側壁部側に設けられた端子に接続された電装品と、
前記圧縮機に設置され前記電装品を覆う電装品保護装置と、
を備え、
前記電装品保護装置は、
前記端子を囲み前記圧縮機に固定されるブラケットと、
前記ブラケット側が開口し、直方体状の部分を有する箱状に形成されており、前記電装品を覆って前記ブラケットに固定される保護カバーと、
を有し、
前記ブラケットは、
前記保護カバー側に突出し、係止孔を形成する係止部を有し、
前記保護カバーは、
前記ブラケットと対向する側壁部と、底壁を構成する下壁部と、天井壁を構成する上壁部と、前記断熱箱体の背面側から見た奥行方向において手前側の側壁を構成する前壁部と、奥側の側壁を構成する奥壁部と、
前記下壁部の内壁面において前記係止孔に対向する位置に形成され、前記係止部と係合する係止爪と、
前記下壁部の外壁面において前記係止爪の反対側に突出した引掛部であって、前記下壁部と対向する板状に形成された平板部を有し、前記平板部が、前記下壁部との間に、前記側壁部側から前記前壁部側にかけて連続して開口した空隙を形成する前記引掛部と、
を有する冷蔵庫。
【請求項２】
前記保護カバーは、前記側壁部と前記下壁部との稜線に沿って前記前壁部まで形成された凹部をさらに有する請求項１に記載の冷蔵庫。
【請求項３】
前記凹部は、前記断熱箱体の背面側から見た奥行方向において、前記前壁部と前記引掛部の突出位置との間に形成されている請求項２に記載の冷蔵庫。
【請求項４】
前記凹部は、
前記下壁部と前記上壁部との間の位置に形成された中間下壁部と、前記側壁部と前記ブラケットとの間の位置に形成された中間側壁部と、前記前壁部と前記後壁部との間の位置に形成された中間前壁部とによって形成されている請求項２又は３に記載の冷蔵庫。
【請求項５】
前記係止爪は、前記ブラケットから前記側壁部に向かって肉厚が大きくなるように形成されているテーパ部を有する請求項１〜４のいずれか１項に記載の冷蔵庫。
【請求項６】
前記凹部は、
前記下壁部と前記上壁部側との間の位置に形成された中間下壁部と、前記前壁部と前記後壁部との間の位置に形成された中間前壁部とによって形成されており、前記下壁部と、前記前壁部と、前記中間下壁部と、前記中間前壁部とによって貫通した開口部が形成されている請求項２又は３に記載の冷蔵庫。
【請求項７】
前記係止爪は、前記側壁部から前記ブラケットに向かって肉厚が大きくなるように形成されているテーパ部を有する請求項６に記載の冷蔵庫。
【発明の詳細な説明】
【技術分野】
【０００１】
本発明は、圧縮機の電装品を保護する電装品保護装置備えた冷蔵庫に関するものである。
【背景技術】
【０００２】
従来より、冷蔵庫の冷凍サイクルを構成する圧縮機に設けられた端子部に電装品が取り付けられ、その電装品を保護する電装品保護装置が提案されている（例えば、特許文献１参照）。【０００３】
特許文献１の電装品保護装置は、圧縮機のガラスターミナルを囲むように固着されたブラケットを有し、ブラケットには電装品をカバーするカバーが係着されている。そして、何等かの理由によりこの電装品を覆うカバーをブラケットから取り外す必要が生じた場合には、作業者は、カバーの下面側壁面に設けた２重壁で囲まれた空洞部にマイナスドライバーの先端部を差し込む。そして、作業者は、マイナスドライバーによって、カバーの下面側壁面を下方に引き下げると同時にマイナスドライバーの持ち手部分を起こすように回転力を加えることで、爪部を係止孔から外すことができカバーとブラケットとのロックを解除することができる。
【先行技術文献】
【特許文献】
【０００４】
【特許文献１】特開２００６−２２６２４８号公報
【発明の概要】
【発明が解決しようとする課題】
【０００５】
特許文献１の電装品保護装置を冷蔵庫に用いた場合に、作業者が冷蔵庫の背面側から保護カバーを取り外す際、工具が保護カバーの引掛部に真横からしか入らない形状になっているため、工具を引掛部に入れ難く、保護カバーの取り外し作業が困難であった。特に、引掛部の空隙は、冷蔵庫の側壁側に開口するように形成されているため、工具の大きさ或いは長さによっては、冷蔵庫の側面壁が引掛部への工具の挿入を妨げる場合があった。また、冷蔵庫の側面壁と圧縮機との間において、作業者が工具を移動する際に保護カバーの筐体が工具の移動の妨げとなる場合があった。【０００６】
本発明は、上記のような課題を解決するためになされたもので、作業者が、ブラケットから保護カバーを取り外す際に、工具の挿入と、挿入後の移動とが、冷蔵庫の側壁とカバーの外郭とに妨げられない電装品保護装置を備えた冷蔵庫を提供するものである。
【課題を解決するための手段】
【０００７】
本発明に係る冷蔵庫は、底壁部と、底壁部に設けられた対向する２つの外側壁部と、２つの外側壁部の間に配置され底壁部との間に開口を形成する後壁部と、を有する断熱箱体と、断熱箱体の開口内において、底壁部に設置され、外側壁部の一方に寄せて配置された圧縮機と、圧縮機を駆動し、圧縮機の一方の外側壁部側に設けられた端子に接続された電装品と、圧縮機に設置され電装品を覆う電装品保護装置と、を備え、電装品保護装置は、端子を囲み圧縮機に固定されるブラケットと、ブラケット側が開口し、直方体状の部分を有する箱状に形成されており、電装品を覆ってブラケットに固定される保護カバーと、を有し、ブラケットは、保護カバー側に突出し、係止孔を形成する係止部を有し、保護カバーは、ブラケットと対向する側壁部と、底壁を構成する下壁部と、天井壁を構成する上壁部と、断熱箱体の背面側から見た奥行方向において手前側の側壁を構成する前壁部と、奥側の側壁を構成する奥壁部と、下壁部の内壁面において係止孔に対向する位置に形成され、係止部と係合する係止爪と、下壁部の外壁面において係止爪の反対側に突出した引掛部であって、下壁部と対向する板状に形成された平板部を有し、平板部が、下壁部との間に、側壁部側から前壁部側にかけて連続して開口した空隙を形成する引掛部と、を有するものである。
【発明の効果】
【０００８】
本発明に係る冷蔵庫は、電装品保護装置の下壁部の外壁面において係止爪の反対側から突出した引掛部を有する。この引掛部は、下壁部と対向する板状に形成された平板部を有し、平板部が、下壁部との間に、側壁部側から前壁部側にかけて連続して開口した空隙を形成するものである。そのため、作業者が、保護カバーをブラケットから取り外すために冷蔵庫の背面側から作業する場合に、工具を電装品保護装置の側面側から正面側にかけて開口する空隙に挿入することができる。また、作業者が、工具を電装品保護装置の側面側から正面側にかけて動かすことができる。その結果、作業者は、ブラケットから保護カバーを取り外す際に、工具の挿入と、挿入後の移動とが、冷蔵庫の側壁と保護カバーの外郭とに妨げられずに作業を行うことができる。
【図面の簡単な説明】
【０００９】
【図１】本発明の実施の形態１に係る冷蔵庫の下部背面斜視図である。
【図２】本発明の実施の形態１に係る冷蔵庫に設置される、電装品保護装置を備えた圧縮機の分解斜視図である。
【図３】本発明の実施の形態１に係る冷蔵庫に設置される、電装品保護装置を備えた圧縮機の正面図である。
【図４】本発明の実施の形態１に係る冷蔵庫に設置される、電装品保護装置を備えた圧縮機の左側面図である。
【図５】図４に示す電装品保護装置のＡ-Ａ線断面図である。
【図６】図２に示す保護カバーの斜視図である。
【図７】図３に示す電装品保護装置において保護カバーをブラケットから取り外す際の断面図である。
【図８】図７の電装品保護装置及び圧縮機の概略平面図である。
【図９】本発明の実施の形態２に係る冷蔵庫の下部背面斜視図である。
【図１０】本発明の実施の形態２に係る冷蔵庫に設置される、電装品保護装置を備えた圧縮機の左側面である。
【図１１】図１０に示す電装品保護装置のＡ-Ａ線断面図である。
【図１２】図１１に示す保護カバーの斜視図である。
【図１３】本発明の実施の形態２に係る冷蔵庫において、電装品保護装置の保護カバーをブラケットから取り外す際の断面図である。
【発明を実施するための形態】
【００１０】
以下、本発明の実施の形態に係る冷蔵庫について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１１】
実施の形態１．
［冷蔵庫１００］
図１は、本発明の実施の形態１に係る冷蔵庫１００の下部背面斜視図である。図１を含む以下の図面に示すＸ軸は、冷蔵庫１００の幅方向を示し、Ｙ軸は冷蔵庫１００の奥行方向を示し、Ｚ軸は冷蔵庫１００の上下方向を示すものである。より詳細には、冷蔵庫１００を背面から見たときＸ１側を左側、Ｘ２側を右側、Ｙ軸においてＹ１側を前側、Ｙ２側を後側、Ｚ軸においてＺ１側を上側、Ｚ２側を下側として冷蔵庫１００を説明する。また、明細書中における各構成部材同士の位置関係（例えば、上下関係等）は、原則として、冷蔵庫１００を使用可能な状態に設置したときのものである。なお、下記の説明では、冷蔵庫１００の幅方向（Ｘ軸方向）、奥行方向（Ｙ軸方向）、上下方向（Ｚ軸方向）は、圧縮機１０及び電装品保護装置１６の各方向と一致するものとする。
【００１２】
図１に示す冷蔵庫１００は、間冷式の冷蔵庫であり、断熱箱体２と、圧縮機１０と、電装品１２と、電装品保護装置１６とを備える。断熱箱体２は、鋼板製の外箱および樹脂製の内箱から構成され、外箱と内箱との間に断熱材が発泡充填されている。断熱箱体２は、底壁部３と、底壁部３に設けられた対向する２つの外側壁部４と、２つの外側壁部４の間に配置され底壁部３との間に開口５を形成する後壁部６と、を有する。断熱箱体２の背面下部には、圧縮要素（図示せず）を内部に収納した圧縮機１０が配置されている。
【００１３】
［圧縮機１０］
図２は、本発明の実施の形態１に係る冷蔵庫１００に設置される、電装品保護装置１６を備えた圧縮機１０の分解斜視図である。図３は、本発明の実施の形態１に係る冷蔵庫１００に設置される、電装品保護装置１６を備えた圧縮機１０の正面図である。図４は、本発明の実施の形態１に係る冷蔵庫１００に設置される、電装品保護装置１６を備えた圧縮機１０の左側面図である。図２〜図４を用いて圧縮機１０について説明する。圧縮機１０は、断熱箱体２の開口５内において、底壁部３に設置され、外側壁部４の一方に寄せて配置されている。圧縮機１０には、圧縮機１０の内部から圧縮された冷媒が吐出される吐出管１３と、圧縮機１０の内部に吸入される冷媒が流れる吸入管１４とが設けられている。圧縮機１０は、吐出管１３と吸入管１４とを介して冷蔵庫１００を構成する冷凍サイクルと接続されている。圧縮機１０は、チャージパイプ１５から封入されるガス冷媒を圧縮して吐出することにより、冷蔵庫１００の冷却運転を行う。圧縮機１０には、圧縮要素に電気を供給するガラスターミナル１１が設けられている。ガラスターミナル１１は、圧縮機１０が寄せて配置された一方の外側壁部４側に突出するように設けられている。ガラスターミナル１１は、絶縁性のガラス部分と、このガラス部分を貫通するように取り付けられた導電ピンとから構成されている。ガラスターミナル１１には、電装品１２が接続されている。なお、ガラスターミナル１１は、本発明の「端子」に相当する。
【００１４】
［電装品１２］
電装品１２は、圧縮機１０を駆動するために用いられる。電装品１２は、例えば、圧縮機１０に収納された圧縮要素に通電させ、或いは、圧縮要素との通電を遮断する装置を有する。冷蔵庫１００は、この電装品１２を覆い、圧縮機１０に設置される、電装品保護装置１６を備えている。
【００１５】
［電装品保護装置１６］
図５は、図４に示す電装品保護装置１６のＡ-Ａ線断面図である。図６は、図２に示す保護カバー２０の斜視図である。次に、図２〜図６を用いて電装品保護装置１６について説明する。電装品保護装置１６は、電装品１２を外部からの衝撃より保護し、または、電装品１２を埃或いは液体から保護するものである。電装品保護装置１６は、ブラケット１８と保護カバー２０とを有する。
【００１６】
（ブラケット１８）
ブラケット１８は、図２に示すように、ガラスターミナル１１を囲んで配置されている。ブラケット１８は、鋼板の折曲成形により形成され、溶接等により圧縮機１０に固定されている。ブラケット１８は、基板部１８ａと、上片部１８ｂと、係止部１８ｃとを有する。基板部１８ａは、板状に形成されており、圧縮機１０に固定される部分であり、ブラケット１８を圧縮機１０に固定している際に、ガラスターミナル１１が露出するように中央部分に貫通孔１８ａ１が形成されている。基板部１８ａの外形は、後述する保護カバー２０の開口部２０ｄの形状と合致するように形成されている。基板部１８ａの上部には、圧縮機１０に対して反対側に折り曲げられた平板状の上片部１８ｂが形成されている。すなわち、上片部１８ｂは、保護カバー２０側に突出している。基板部１８ａの下部には、圧縮機１０に対して反対側に折り曲げられた係止部１８ｃが形成されている。すなわち、係止部１８ｃは、保護カバー２０側に突出している。係止部１８ｃは、矩形の平板状に形成されており、ガラスターミナル１１を挟んで上片部１８ｂと対向する位置に形成されている。係止部１８ｃには、矩形状の貫通孔である係止孔１８ｄが形成されている。ブラケット１８には、電装品１２を覆う保護カバー２０が固定される。
【００１７】
（保護カバー２０）
保護カバー２０は、ポリプロピレン、ポリカーボネート、ポリブチレンテレフタレート等の合成樹脂により射出成形されている。保護カバー２０は、図５及ぶ図６に示すように、ブラケット１８と当接する側に開口部２０ｄが形成され、図２〜図６に示すように、直方体状の部分を有する箱状に形成されている。保護カバー２０は、電装品１２を覆ってブラケット１８に固定される。保護カバー２０は、図６に示すように、ブラケット１８の基板部１８ａと対向する側壁部２０ａと、保護カバー２０の上下方向（Ｚ軸方向）において、底壁を構成する下壁部２０ｅと、天井壁を構成する上壁部２０ｆと、を有する。また、保護カバー２０は、断熱箱体２の背面側から見た奥行方向（Ｙ軸方向）において手前側の側壁を構成する前壁部２０ｃと、奥側の側壁を構成する奥壁部２０ｂとを有する。
【００１８】
保護カバー２０の内壁面上部には、図５に示すように、上壁部２０ｆと対向するように側壁部２０ａから突出した挟持部２０ｇが設けられている。上壁部２０ｆと挟持部２０ｇとの間には、間隙２０ｈが形成されている。保護カバー２０の下壁部２０ｅの内壁面には、ブラケット１８に形成された係止部１８ｃの係止孔１８ｄに対応する位置に、係止部１８ｃと係合する係止爪２３が形成されている。係止爪２３は、ブラケット１８から側壁部２０ａに向かって下壁部２０ｅの肉厚が大きくなるように形成されているテーパ部２３ａを有する。係止爪２３は、電装品保護装置１６の上下方向（Ｚ軸方向）において、下壁部２０ｅを介して、引掛部２１と対称の位置に形成されている。
【００１９】
保護カバー２０は、図５及び図６に示すように、下壁部２０ｅから下方に突出した引掛部２１を有する。引掛部２１は、下壁部２０ｅの外壁面において係止爪２３の反対側に突出するように形成されている。引掛部２１は、保護カバー２０をブラケット１８から外す必要が発生した場合にマイナスドライバー等の工具の先端を挿入する部分である。引掛部２１は、板状に形成され下壁部２０ｅと対向するように配置されている平板部２１ａを有する。平板部２１ａは、図５及び図６に示すように、矩形状に形成されている。なお、平板部２１ａの形状は、矩形状に限定されるものではなく、例えば、扇形状、半円形状、円形状、多角形状等他の形状であってもよい。引掛部２１は、冷蔵庫１００を背面側から見た場合に、保護カバー２０の奥行方向（Ｙ軸方向）において平板部２１ａの奥側に位置する接続壁部２１ｃと、保護カバー２０の幅方向（Ｘ軸方向）において圧縮機１０側に位置する接続壁部２１ｄとを有する。引掛部２１は、接続壁部２１ｃと、接続壁部２１ｄとが下壁部２０ｅから下方に突出するように形成されている。平板部２１ａの端縁部２１ａ１は、側壁部２０ａ側から前壁部２０ｃ側にかけて連続して形成されている。すなわち、平板部２１ａの端縁部２１ａ１は、断熱箱体２の外側壁部４側から、断熱箱体２の開口５側にかけて形成されている。平板部２１ａは、図６に示すように、下壁部２０ｅとの間に空隙２１ｅを形成する。平板部２１ａと下壁部２０ｅとにより形成される空隙２１ｅは、側壁部２０ａ側から前壁部２０ｃ側にかけて連続して開口している。平板部２１ａと下壁部２０ｅとにより形成される空隙２１ｅは、冷蔵庫１００を背面側から見た場合に、保護カバー２０の幅方向（Ｘ軸方向）において左側から、保護カバー２０の奥行方向（Ｙ軸方向）において前側まで、開口している。
【００２０】
保護カバー２０は、側壁部２０ａと下壁部２０ｅとの稜線に沿って前壁部２０ｃまで形成された凹部２２を有している。凹部２２は、下壁部２０ｅと上壁部２０ｆとの間の位置に形成された中間下壁部２２ｅと、側壁部２０ａとブラケット１８との間の位置に形成された中間側壁部２２ｄと、によって形成されている。また、凹部２２は、前壁部２０ｃと奥壁部２０ｂとの間の位置に形成された中間前壁部２２ｃによって形成されている。図６に示すように、凹部２２は、断熱箱体２の背面側から見た奥行方向（Ｙ軸方向）において、前壁部２０ｃから引掛部２１の接続壁部２１ｃの突出位置まで形成されている。なお、凹部２２の形成範囲は、前壁部２０ｃから引掛部２１の突出位置までに限定されるものではなく、例えば、前壁部２０ｃから奥壁部２０ｂまで形成されていてもよい。また、図６に示すように、凹部２２は、断熱箱体２の背面側から見た幅方向（Ｘ軸方向）において、側壁部２０ａと、引掛部２１の接続壁部２１ｃとの間に形成されている。
【００２１】
［電装品保護装置１６の組み立て］
圧縮機１０に設けられたガラスターミナル１１に電装品１２が挿入固定される。その後、電装品１２を覆うように保護カバー２０をブラケット１８に挿入する。この際、ブラケット１８の上片部１８ｂが、保護カバー２０の上壁部２０ｆと挟持部２０ｇとの間隙２０ｈ内に水平移動しながら挿入されていき、上壁部２０ｆ及び挟持部２０ｇが上片部１８ｂを挟み込む。また、ブラケット１８に形成された係止部１８ｃに、保護カバー２０のテーパ部２３ａを有する係止爪２３が当たると、保護カバー２０の係止爪２３を設けている下壁部２０ｅが、係止部１８ｃに対して外側へ歪む。そして、さらに保護カバー２０をブラケット１８に挿入するとテーパ部２３ａを有する係止爪２３が、ブラケット１８の係止部１８ｃに形成された係止孔１８ｄに挿入されて係止される。保護カバー２０の係止爪２３が、ブラケット１８の係止部１８ｃに係止されることで、保護カバー２０はブラケット１８に固定される。
【００２２】
［電装品保護装置１６の分解］
図７は、図３に示す電装品保護装置１６において保護カバー２０をブラケット１８から取り外す際の断面図である。図８は、図７の電装品保護装置１６及び圧縮機１０の概略平面図である。図７及び図８を用いて、電装品保護装置１６の分解について説明する。保護カバー２０をブラケット１８から取り外す場合、係止部１８ｃに係止された保護カバー２０の係止爪２３を係止孔１８ｄから取り外す必要がある。作業者は、保護カバー２０の下壁部２０ｅに設けられた引掛部２１の空隙２１ｅにマイナスドライバー等の工具３０の先端を挿入する。引掛部２１の平板部２１ａと下壁部２０ｅとの間の空隙２１ｅは、冷蔵庫１００を背面側から見た場合に、保護カバー２０の幅方向（Ｘ軸方向）において左側から保護カバー２０の奥行方向（Ｙ軸方向）において前側にかけて開口している。そのため、作業者は、工具３０を電装品保護装置１６の左側面側から正面側にかけて引掛部２１に挿入することができ、工具３０を引掛部２１の空隙２１ｅに挿入する際に、冷蔵庫１００の側壁に妨げられることはない。
【００２３】
次に、作業者は、工具３０によって、保護カバー２０の引掛部２１を下方に引き下げると同時に工具３０の持ち手部分を起こすように回転力Ｒ１を加える。作業者が、工具３０をこのように動かすことで、係止爪２３を係止孔１８ｄから取り外すことができ保護カバー２０とブラケット１８との固定を解除することができる。保護カバー２０は、側壁部２０ａと下壁部２０ｅとの稜線に沿って前壁部２０ｃまで形成された凹部２２を有している。そのため、作業者は、工具３０を電装品保護装置１６の左側面側から正面側にかけて保護カバー２０の引掛部２１を下方に引き下げると同時に工具３０の持ち手部分を起こすように回転力Ｒ１を加えることができる。その結果、作業者は、工具３０を動かす際に、保護カバー２０の側壁部２０ａ及び前壁部２０ｃに動きを妨げられることはない。作業者は、工具３０を電装品保護装置１６の左側面側から正面側にかけて挿入し、移動することができることで、作業を行いやすい。
【００２４】
［冷蔵庫１００及び圧縮機１０の動作］
圧縮機１０に設けられたガラスターミナル１１に電装品１２が挿入固定され、圧縮機１０に電源が供給される。圧縮機１０に電源が供給されると、圧縮機１０に収納された圧縮要素により、冷媒ガスが圧縮され、吐出管１３を通って冷蔵庫１００の冷凍サイクルに流入する。冷蔵庫１００の冷凍サイクルにより冷却作用を行ったガス冷媒は、吸入管１４を通って圧縮機１０内へと戻される。
【００２５】
以上のように冷蔵庫１００は、電装品保護装置１６の下壁部２０ｅの外壁面において係止爪２３の反対側から突出した引掛部２１を有する。この引掛部２１は、下壁部２０ｅと対向する板状に形成された平板部２１ａを有し、平板部２１ａが、下壁部２０ｅとの間に、側壁部２０ａ側から前壁部２０ｃ側にかけて連続して開口した空隙２１ｅを形成するものである。そのため、作業者が、保護カバー２０をブラケット１８から取り外すために冷蔵庫１００の背面側から作業する場合に、工具３０を電装品保護装置１６の側面側から正面側にかけて開口した空隙２１ｅに挿入することができる。また、作業者が、挿入した工具３０を電装品保護装置１６の側面側から正面側にかけて動かすことができる。その結果、作業者は、ブラケット１８から保護カバー２０を取り外す際に、引掛部２１への工具３０の挿入と挿入後の移動とが、冷蔵庫１００の外側壁部４と保護カバー２０の外郭となる側壁部２０ａ及び前壁部２０ｃに妨げられずに作業を行うことができる。
【００２６】
また、冷蔵庫１００は、保護カバー２０が側壁部２０ａと下壁部２０ｅとの稜線に沿って前壁部２０ｃまで形成された凹部２２を有するものである。そのため、作業者が、保護カバー２０をブラケット１８から取り外すために冷蔵庫１００の背面側から作業する場合に、工具３０を電装品保護装置１６の側面側から正面側にかけて開口した空隙２１ｅに挿入することができる。また、作業者が、挿入した工具３０を電装品保護装置１６の側面側から正面側にかけて動かすことができる。その結果、作業者は、ブラケット１８から保護カバー２０を取り外す際に、引掛部２１への工具３０の挿入と、挿入後の移動とが、冷蔵庫１００の外側壁部４と保護カバー２０の外郭となる側壁部２０ａ及び前壁部２０ｃに妨げられずに作業を行うことができる。
【００２７】
また、冷蔵庫１００は、空隙２１ｅを形成する引掛部２１と、保護カバー２０が側壁部２０ａと下壁部２０ｅとの稜線に沿って前壁部２０ｃまで形成された凹部２２を有するものである。そのため、作業者は、圧縮機１０に接続されているチャージパイプ１５等の配管により、作業スペースが十分確保できない場合でも、工具３０の挿入域の広さと可動域の広さとから、保護カバー２０をブラケット１８からスムーズに取り外すことができる。
【００２８】
実施の形態２．
図９は、本発明の実施の形態２に係る冷蔵庫２００の下部背面斜視図である。図１０は、本発明の実施の形態２に係る冷蔵庫２００に設置される、電装品保護装置１６Ａを備えた圧縮機１０の左側面である。図１１は、図１０に示す電装品保護装置１６ＡのＡ-Ａ線断面図である。図１２は、図１１に示す保護カバー１２０の斜視図である。図１〜図８の冷蔵庫１００と同一の構成を有する部位には同一の符号を付してその説明を省略する。冷蔵庫２００は、電装品保護装置１６Ａの保護カバー１２０の形態が、電装品保護装置１６の保護カバー２０の形態と異なるものである。
【００２９】
［冷蔵庫２００］
図９に示す冷蔵庫２００は、間冷式の冷蔵庫であり、断熱箱体２と、圧縮機１０と、電装品１２と、電装品保護装置１６Ａとを備える。断熱箱体２の背面下部には、圧縮要素（図示せず）を内部に収納した圧縮機１０が配置されている。圧縮機１０には、図９及び図１０に示すように、電装品保護装置１６Ａが取り付けられている。
【００３０】
［電装品保護装置１６Ａ］
電装品保護装置１６Ａは、電装品１２を外部からの衝撃より保護し、または、電装品１２を埃或いは液体から保護するものである。電装品保護装置１６Ａは、ブラケット１８と保護カバー１２０とを有する。
【００３１】
（保護カバー１２０）
保護カバー１２０は、ポリプロピレン、ポリカーボネート、ポリブチレンテレフタレート等の合成樹脂により射出成形されている。保護カバー１２０は、図１１及ぶ図１２に示すように、ブラケット１８と当接する側に開口部２０ｄが形成され、図９〜図１２に示すように、直方体状の部分を有する箱状に形成されている。保護カバー１２０は、電装品１２を覆ってブラケット１８に固定される。保護カバー１２０は、図１１に示すように、ブラケット１８の基板部１８ａと対向する側壁部２０ａと、保護カバー１２０の上下方向（Ｚ軸方向）において、底壁を構成する下壁部２０ｅと、天井壁を構成する上壁部２０ｆと、を有する。また、保護カバー１２０は、断熱箱体２の背面側から見た奥行方向（Ｙ軸方向）において手前側の側壁を構成する前壁部２０ｃと、奥側の側壁を構成する奥壁部２０ｂとを有する。
【００３２】
保護カバー１２０の内壁面上部には、図１１に示すように、上壁部２０ｆと対向するように側壁部２０ａから突出した挟持部２０ｇが設けられている。上壁部２０ｆと挟持部２０ｇとの間には、間隙２０ｈが形成されている。保護カバー１２０の下壁部２０ｅの内壁面には、ブラケット１８に形成された係止部１８ｃの係止孔１８ｄに対応する位置に、係止部１８ｃと係合する係止爪２５が形成されている。係止爪２５は、側壁部２０ａからブラケット１８に向かって下壁部２０ｅの肉厚が大きくなるように形成されているテーパ部２５ａを有する。係止爪２５は、電装品保護装置１６Ａの上下方向（Ｚ軸方向）において、下壁部２０ｅを介して、引掛部２１と対称の位置に形成されている。
【００３３】
保護カバー１２０は、図１１及び図１２に示すように、下壁部２０ｅから下方に突出した引掛部２１を有する。引掛部２１は、下壁部２０ｅの外壁面において係止爪２５の反対側から突出するように形成されている。引掛部２１は、保護カバー１２０をブラケット１８から外す必要が発生した場合にマイナスドライバー等の工具の先端を挿入する部分である。引掛部２１は、板状に形成され下壁部２０ｅと対向するように配置されている平板部２１ａを有する。平板部２１ａは、図１１及び図１２に示すように、矩形状に形成されている。なお、平板部２１ａの形状は、矩形状に限定されるものではなく、例えば、扇形状、半円形状、円形状、多角形状等他の形状であってもよい。引掛部２１は、冷蔵庫２００を背面側から見た場合に、保護カバー１２０の奥行方向（Ｙ軸方向）において平板部２１ａの奥側に位置する接続壁部２１ｃと、保護カバー１２０の幅方向（Ｘ軸方向）において圧縮機１０側に位置する接続壁部２１ｄとを有する。引掛部２１は、接続壁部２１ｃと、接続壁部２１ｄとが下壁部２０ｅから下方に突出するように形成されている。平板部２１ａの端縁部２１ａ１は、側壁部２０ａ側から前壁部２０ｃ側にかけて連続して形成されている。すなわち、平板部２１ａの端縁部２１ａ１は、断熱箱体２の外側壁部４側から、断熱箱体２の開口５側にかけて形成されている。平板部２１ａは、図１２に示すように、下壁部２０ｅとの間に空隙２１ｅを形成する。平板部２１ａと下壁部２０ｅとにより形成される空隙２１ｅは、側壁部２０ａ側から前壁部２０ｃ側にかけて連続して開口している。平板部２１ａと下壁部２０ｅとにより形成される空隙２１ｅは、冷蔵庫２００を背面側から見た場合に、保護カバー１２０の幅方向（Ｘ軸方向）において左側から、保護カバー１２０の奥行方向（Ｙ軸方向）において前側まで、開口している。
【００３４】
保護カバー１２０は、側壁部２０ａと下壁部２０ｅとの稜線に沿って前壁部２０ｃまで形成された凹部２２Ａを有している。凹部２２Ａは、下壁部２０ｅと上壁部２０ｆとの間の位置に形成された中間下壁部２２ｅと、前壁部２０ｃと奥壁部２０ｂとの間の位置に形成された中間前壁部２２ｃ、によって形成されている。また、凹部２２Ａには、下壁部２０ｅと、前壁部２０ｃと、中間下壁部２２ｅと、中間前壁部２２ｃとによって貫通した開口部２６が形成されている。図１２に示すように、凹部２２Ａは、断熱箱体２の背面側から見た奥行方向（Ｙ軸方向）において、前壁部２０ｃから引掛部２１の接続壁部２１ｃの突出位置まで形成されている。なお、凹部２２Ａの形成範囲は、前壁部２０ｃから引掛部２１の突出位置までに限定されるものではなく、例えば、前壁部２０ｃから奥壁部２０ｂまで形成されていてもよい。また、図１２に示すように、凹部２２Ａは、断熱箱体２の背面側から見た幅方向（Ｘ軸方向）において、側壁部２０ａと、引掛部２１の接続壁部２１ｃとの間に形成されている。
【００３５】
［電装品保護装置１６Ａの組み立て］
圧縮機１０に設けられたガラスターミナル１１に電装品１２が挿入固定される。その後、電装品１２を覆うように保護カバー１２０をブラケット１８に挿入する。この際、ブラケット１８の上片部１８ｂが、保護カバー１２０の上壁部２０ｆと挟持部２０ｇとの間隙２０ｈ内に水平移動しながら挿入されていき、上壁部２０ｆ及び挟持部２０ｇが上片部１８ｂを挟み込む。また、ブラケット１８に形成された係止部１８ｃに、保護カバー１２０のテーパ部２５ａを有する係止爪２５が当たると、保護カバー１２０の係止爪２５を設けている下壁部２０ｅが、係止部１８ｃに対して外側へ歪む。そして、さらに保護カバー１２０をブラケット１８に挿入するとテーパ部２５ａを有する係止爪２５が、ブラケット１８の係止部１８ｃに形成された係止孔１８ｄに挿入されて係止される。保護カバー１２０の係止爪２５が、ブラケット１８の係止部１８ｃに係止されることで、保護カバー１２０はブラケット１８に固定される。
【００３６】
［電装品保護装置１６Ａの分解］
電装品保護装置１６Ａの分解について説明する。電装品保護装置１６Ａの分解方法の１つは、図７及び図８で示す電装品保護装置１６と同じである。保護カバー１２０をブラケット１８から取り外す場合、係止部１８ｃに係止された保護カバー１２０の係止爪２５を係止孔１８ｄから取り外す必要がある。作業者は、保護カバー１２０の下壁部２０ｅに設けられた引掛部２１の空隙２１ｅにマイナスドライバー等の工具３０の先端を挿入する。引掛部２１の平板部２１ａと下壁部２０ｅとの間の空隙２１ｅは、冷蔵庫２００を背面側から見た場合に、保護カバー１２０の幅方向（Ｘ軸方向）において左側から保護カバー１２０の奥行方向（Ｙ軸方向）において前側にかけて開口している。そのため、作業者は、工具３０を電装品保護装置１６Ａの左側面側から正面側にかけて引掛部２１に挿入することができ、工具３０を引掛部２１の空隙２１ｅに挿入する際に、冷蔵庫２００の側壁に妨げられることはない。
【００３７】
次に、作業者は、工具３０によって、保護カバー１２０の引掛部２１を下方に引き下げると同時に工具３０の持ち手部分を起こすように回転力Ｒ１を加える。作業者が、工具３０をこのように動かすことで、係止爪２５を係止孔１８ｄから取り外すことができ保護カバー１２０とブラケット１８との固定を解除することができる。保護カバー１２０は、側壁部２０ａと下壁部２０ｅとの稜線に沿って前壁部２０ｃまで形成された凹部２２Ａを有している。そのため、作業者は、工具３０を電装品保護装置１６Ａの左側面側から正面側にかけて保護カバー１２０の引掛部２１を下方に引き下げると同時に工具３０の持ち手部分を起こすように回転力Ｒ１を加えることができる。その結果、作業者は、工具３０を動かす際に、保護カバー１２０の側壁に動きを妨げられることはない。作業者は、工具３０を電装品保護装置１６Ａの左側面側から正面側にかけて配置することができることで、作業を行いやすい。
【００３８】
図１３は、本発明の実施の形態２に係る冷蔵庫２００において、電装品保護装置１６Ａの保護カバー１２０をブラケット１８から取り外す際の断面図である。更に電装品保護装置１６Ａは、他の方法で、ブラケット１８から保護カバー１２０を取り外すことができる。保護カバー１２０の凹部２２Ａには、下壁部２０ｅと、前壁部２０ｃと、中間下壁部２２ｅと、中間前壁部２２ｃとによって貫通した開口部２６が形成されている。また、保護カバー１２０の下壁部２０ｅの内壁面には、係止爪２５が形成されている。係止爪２５のテーパ部２５ａは、側壁部２０ａからブラケット１８に向かって肉厚が大きくなるように形成されている。そのため、作業者は、マイナスドライバー等の工具３０を開口部２６に挿入するだけで、保護カバー１２０の下壁部２０ｅを下方向へ引き下げることができる。その結果、作業者は、工具３０によって下壁部２０ｅを下方向へ引き下げる為の力を使わなくても、工具３０を開口部２６に挿入するだけで、保護カバー１２０とブラケット１８との固定を外すことができ、保護カバー１２０をスムーズに取り外すことができる。
【００３９】
［冷蔵庫２００及び圧縮機１０の動作］
圧縮機１０に設けられたガラスターミナル１１に電装品１２が挿入固定され、圧縮機１０に電源が供給される。圧縮機１０に電源が供給されると、圧縮機１０に収納された圧縮要素により、冷媒ガスが圧縮され、吐出管１３を通って冷蔵庫２００の冷凍サイクルに流入する。冷蔵庫２００の冷凍サイクルにより冷却作用を行ったガス冷媒は、吸入管１４を通って圧縮機１０内へと戻される。
【００４０】
以上のように冷蔵庫２００は、電装品保護装置１６Ａの下壁部２０ｅの外壁面において係止爪２５の反対側から突出した引掛部２１を有する。この引掛部２１は、下壁部２０ｅと対向する板状に形成された平板部２１ａを有し、平板部２１ａが、下壁部２０ｅとの間に、側壁部２０ａ側から前壁部２０ｃ側にかけて連続して開口した空隙２１ｅを形成するものである。そのため、作業者が、保護カバー１２０をブラケット１８から取り外すために冷蔵庫２００の背面側から作業する場合に、工具３０を電装品保護装置１６Ａの側面側から正面側にかけて開口した空隙２１ｅに挿入することができる。また、作業者が、挿入した工具３０を電装品保護装置１６の側面側から正面側にかけて動かすことができる。その結果、作業者は、ブラケット１８から保護カバー１２０を取り外す際に、引掛部２１への工具３０の挿入と挿入後の移動とが、冷蔵庫２００の外側壁部４と保護カバー１２０の外郭となる側壁部２０ａ及び前壁部２０ｃに妨げられずに作業を行うことができる。
【００４１】
また、冷蔵庫２００は、保護カバー１２０が側壁部２０ａと下壁部２０ｅとの稜線に沿って前壁部２０ｃまで形成された凹部２２Ａを有するものである。そのため、作業者が、保護カバー１２０をブラケット１８から取り外すために冷蔵庫２００の背面側から作業する場合に、工具３０を電装品保護装置１６Ａの側面側から正面側にかけて開口した空隙２１ｅに挿入することができる。また、作業者が、挿入した工具３０を電装品保護装置１６の側面側から正面側にかけて動かすことができる。その結果、作業者は、ブラケット１８から保護カバー１２０を取り外す際に、引掛部２１への工具３０の挿入と挿入後の移動とが、冷蔵庫２００の外側壁部４と保護カバー１２０の外郭となる側壁部２０ａ及び前壁部２０ｃに妨げられずに作業を行うことができる。
【００４２】
また、冷蔵庫２００は、空隙２１ｅを形成する引掛部２１と、保護カバー１２０が側壁部２０ａと下壁部２０ｅとの稜線に沿って前壁部２０ｃまで形成された凹部２２Ａを有するものである。そのため、作業者は、圧縮機１０に接続されているチャージパイプ１５等の配管により、作業スペースが十分確保できない場合でも、工具３０の挿入域の広さと可動域の広さとから、保護カバー１２０をブラケット１８からスムーズに取り外すことができる。
【００４３】
さらに、冷蔵庫２００は、保護カバー１２０の凹部２２Ａに、下壁部２０ｅと、前壁部２０ｃと、中間下壁部２２ｅと、中間前壁部２２ｃとによって貫通した開口部２６が形成されている。また、保護カバー１２０の下壁部２０ｅの内壁面には、係止爪２５が形成されている。係止爪２５のテーパ部２５ａは、側壁部２０ａからブラケット１８に向かって肉厚が大きくなるように形成されている。そのため、作業者は、マイナスドライバー等の工具３０を開口部２６に挿入するだけで、保護カバー１２０の下壁部２０ｅを下方向へ引き下げることができる。その結果、作業者は、工具３０によって下壁部２０ｅを下方向へ引き下げる為の力を使わなくても、工具３０を開口部２６に挿入するだけで、保護カバー１２０とブラケット１８との固定を外すことができ、保護カバー１２０をスムーズに取り外すことができる。
【００４４】
なお、本発明の実施の形態は、上記実施の形態１及び２に限定されず、種々の変更を加えることができる。冷蔵庫１００では、引掛部２１が、電装品保護装置１６の下壁部２０ｅの外壁面において係止爪２３の反対側から突出するように形成されている。また、保護カバー２０は、側壁部２０ａと下壁部２０ｅとの稜線に沿って前壁部２０ｃまで形成された凹部２２を有している。たとえば、冷蔵庫１００は、引掛部２１と係止爪２３とが、上壁部２０ｆに設けられていてもよい。また、この場合、保護カバー２０は、側壁部２０ａと上壁部２０ｆとの稜線に沿って前壁部２０ｃまで形成された凹部２２を有していてもよい。同様に、冷蔵庫２００は、引掛部２１と係止爪２５とが、上壁部２０ｆに設けられていてもよい。また、この場合、保護カバー１２０は、側壁部２０ａと上壁部２０ｆとの稜線に沿って前壁部２０ｃまで形成された凹部２２Ａを有していてもよい。
【符号の説明】
【００４５】
２  断熱箱体、３  底壁部、４  外側壁部、５  開口、６  後壁部、１０  圧縮機、１１  ガラスターミナル、１２  電装品、１３  吐出管、１４  吸入管、１５  チャージパイプ、１６  電装品保護装置、１６Ａ  電装品保護装置、１８  ブラケット、１８ａ  基板部、１８ａ１  貫通孔、１８ｂ  上片部、１８ｃ  係止部、１８ｄ  係止孔、２０  保護カバー、２０ａ  側壁部、２０ｂ  奥壁部、２０ｃ  前壁部、２０ｄ  開口部、２０ｅ  下壁部、２０ｆ  上壁部、２０ｇ  挟持部、２０ｈ  間隙、２１  引掛部、２１ａ  平板部、２１ａ１  端縁部、２１ｃ  接続壁部、２１ｄ  接続壁部、２１ｅ  空隙、２２  凹部、２２Ａ  凹部、２２ｃ  中間前壁部、２２ｄ  中間側壁部、２２ｅ  中間下壁部、２３  係止爪、２３ａ  テーパ部、２５  係止爪、２５ａ  テーパ部、２６  開口部、３０  工具、１００  冷蔵庫、１２０  保護カバー、２００  冷蔵庫。
【図１】
2019021407.tif 000003
【図２】
2019021407.tif 000004
【図３】
2019021407.tif 000005
【図４】
2019021407.tif 000006
【図５】
2019021407.tif 000007
【図６】
2019021407.tif 000008
【図７】
2019021407.tif 000009
【図８】
2019021407.tif 000010
【図９】
2019021407.tif 000011
【図１０】
2019021407.tif 000012
【図１１】
2019021407.tif 000013
【図１２】
2019021407.tif 000014
【図１３】
2019021407.tif 000015
【国際調査報告】
2019021407.tif 000016
2019021407.tif 000017
2019021407.tif 000018
2019021407.tif 000019